(57)【要約】【課題】構成部品を少なくすることができる送風吹出装置を提供する。【解決手段】装置本体１から風を吹き出す吹出口３と、この吹出口３を開閉する蓋体５とを備える。吹出口３とは別の補助吹出口５を設ける。蓋体５で吹出口３を閉塞した状態で装置本体を運転させたとき、補助吹出口５から風を吹き出すようにして、送風機などの他の機器への悪影響を防止する。蓋体５の閉状態で運転を停止させるための構成部品を省略することができる。【選択図】  図４
2004317046.tif 000002
【特許請求の範囲】
【請求項１】
装置本体から風を吹き出す吹出口と、該吹出口を開閉する蓋体と、前記吹出口とは別の補助吹出口とを備え、前記蓋体の閉状態で、前記補助吹出口から風を吹き出すようにしたことを特徴とする送風吹出装置。
【請求項２】
装置本体の吹出口に、該吹出口から吹き出す風の向きを調節する風向調節体が回動軸周りに回動自在に設けられた送風吹出装置であって、前記回動軸の軸線方向端部側において、前記風向調節体の端部およびこれに対向する吹出口の内壁のいずれか一方に回動軸が形成され、他方に該回動軸を支持する軸受けが形成され、該軸受けに、前記回動軸を前記回動軸の軸線と直交する方向から挿入するための切欠が形成されたことを特徴とする送風吹出装置。
【請求項３】
前記切欠に、回動軸の軸穴からの抜け出しを阻止する抜け止め手段が形成されたことを特徴とする請求項２に記載の送風吹出装置。
【請求項４】
前記抜け止め手段は、前記切欠に位置する抜け止め姿勢と、前記切欠から回動軸の軸線方向で後退した挿入姿勢との間で弾性変形可能な抜け止め片から構成されたことを特徴とする請求項３に記載の送風吹出装置。
【請求項５】
前記抜け止め片は、前記回動軸の軸線と直交する方向からの前記切欠への挿入により、抜け止め姿勢から挿入姿勢に弾性変形することを特徴とする請求項４に記載の送風吹出装置。
【請求項６】
前記軸受けよりも回動軸の軸線方向外側に、回動軸に当接して風向調節体の軸方向移動を阻止する第一ストッパが設けられたことを特徴とする請求項２〜５のいずれかに記載の送風吹出装置。
【請求項７】
前記軸受けよりも回動軸の基端側に、吹出口の内壁に当接して風向調節体の軸方向移動を阻止する第二ストッパが形成されたことを特徴とする請求項２〜６のいずれかに記載の送風吹出装置。
【請求項８】
前記第二ストッパは、軸受け又は切欠の周囲に形成され、前記回動軸を案内するガイドリブであることを特徴とする請求項７に記載の送風吹出装置。
【請求項９】
前記回動軸の軸線方向端部側において、前記風向調節体の端部およびこれに対向する吹出口の内壁のいずれか一方に被係止部が形成され、他方に該被係止部を係止する複数の係止部が風向調節体の回動中心の周りに放射状に形成され、風向調節体の角度を段階的に調節可能とされたことを特徴とする請求項２〜８のいずれかに記載の送風吹出装置。
【請求項１０】
前記複数の係止部は、互いに間隔をあけて形成された複数の凸部とされ、前記被係止部は、突起とされ、係止部および被係止部の少なくとも一方の弾性変位により係合離脱可能とされたことを特徴とする請求項９に記載の送風吹出装置。
【請求項１１】
前記吹出口の内壁に、風向調節具の回動を所定の範囲内に規制する回動ストッパが設けられたことを特徴とする請求項２〜１０のいずれかに記載の送風吹出装置。
【請求項１２】
前記風向調節体は、吹出口を開閉する蓋体として兼用されることを特徴とする請求項２〜１１のいずれかに記載の送風吹出装置。
【請求項１３】
請求項１〜１２のいずれかに記載の送風吹出装置を備えたことを特徴とする電気機器。
【発明の詳細な説明】
【０００１】
【発明の属する技術分野】
本発明は、除湿機などの電気機器から風を吹き出するための送風吹出装置に関するものである。
【０００２】
【従来の技術】
一般に、除湿機などの電気機器には、その吹出口から風を吹き出すための送風吹出装置が設けられている。この送風吹出装置は、吹出口を開閉する蓋体（風向板）を備えており、この蓋体を閉じたまま送風されることによる送風ファン等の他の機器への悪影響を防止する手段が設けられている。
【０００３】
図１３、図１４および図１５に特許文献１の除湿機を示す。図１３は特許文献１の除湿機の側断面図で、図１４は吹出口の拡大断面図（閉塞状態）、図１５は吹出口の拡大断面図（開放状態）である。
【０００４】
この除湿機の外郭は、前面カバー１０１、後箱１０２、上面カバー１０３により構成され、これに送風用のファン１０４、蒸発器１０５、凝縮器１０６および圧縮機１０７が内装されている。前面カバー１０１に、室内の空気を吸い込む吸込口１０８が設けられ、上面カバー１０３に、室内に風を吹き出す吹出口１０９が設けられている。
【０００５】
吹出口１０９に、円筒状の回転体１１０ａの外周面に案内羽１１０ｂ、１１０ｃを取り付けてなる風向板（蓋体）１１０が回転軸１１１を介して回動可能に支持されている。この風向板１１０は、手動あるいはモータ駆動により、回転軸１１１を中心に回動して吹出口１０９を開閉するようになっている。
【０００６】
風向板１１０を手動により回動させる場合、回転軸１１１の一端に設けられたカム１１２と、送風停止用のマイクロスイッチ１１３と、カム１１２に接触離脱してマイクロスイッチ１１３をＯＮ、ＯＦＦする押し棒１１３ａとを備える。これにより、風向板１１０が吹出口１０９を閉塞しているとき、送風を停止するようになっている。
【０００７】
また、風向板１１０をモータ駆動により回動させる場合、運転スイッチで運転開始の操作をすることにより、制御部が風向板１１０の駆動用のモータに指示を送って風向板１１０を回転させる。これにより、吹出口５が運転停止時の閉塞状態から開放状態に切り換わって送風可能になる。
【０００８】
図１６および図１７に特許文献２の吹出口の開閉機構を示す。図１６は特許文献２の吹出口の開閉機構を示す分解斜視図、図１７は吹出口付近の部分断面図である。
【０００９】
この吹出口の開閉機構は、吹出口１１４を開閉する蓋体１１５と、蓋体１１５と同軸回転する回転板１１６と、回転板１１６を開方向に付勢するばね１１７と、電源を投入するための電源スイッチ操作部１１８と、電源スイッチ操作部１１８の押下に連動して回動し、回転板１１６の突起係合部１１６ａに係脱する連結棒１１９とから構成される。
【００１０】
電源スイッチ操作部１１８を押下して電源を投入することにより、連結棒１１９が回動して突起係合部１１６ａとの係合が解除され、ばね１１７の付勢力によって回転板１１６が開方向に回動する。これにより、回動板１１６の軸受け１１６ｂに半固定された蓋体１１５が回動して吹出口１１４を開放する。
【００１１】
蓋体１１５の回転軸１１５ａと回動板１１６の軸受け１１６ｂとは、軸周りにスリップ可能とされ、これらを相対的に回動させることにより、開状態における蓋体１１５の角度を調節するようになっている。
【００１２】
【特許文献１】
特開平２−３７２３５号公報（第４−５頁、第３図、第８図、第９図）
【００１３】
【特許文献２】
特開平８−１１４３５０号公報（段落番号００２０−段落番号００２５、第３図、第４図）
【００１４】
【発明が解決しようとする課題】
ところが、上記の送風吹出装置は、運転時に吹出口を開放するための構造として多くの構成部品を設けているため、その構造が複雑である。蓋体の駆動機構に異常が発生して吹出口を閉塞したまま運転したとき、送風ファン等の他の機器に悪影響を与えるおそれがある。電機部品を備えた構造は、電機部品を装備するスペースが必要になって電気機器全体が大きくなりやすく、その電機部品が電気機器全体をコストアップさせるおそれがある。
【００１５】
また、構成部品が多くなると共に、蓋体の両端を回動自在に支持する回動軸を軸受けに装着するため、その組立が難しくなりやすい。風向板としての蓋体は、軸受けとの摩擦により軸周りに固定されているので、蓋体の角度を調節するとき、摩擦に抵抗できる大きさの力を加えて蓋体を回動させる必要があり、蓋体の角度の調節が難しくなりやすい。
【００１６】
本発明は、構成部品が少なくその組立が簡単な構造で、風向板の角度を調節しやすい送風吹出装置を提供することを目的とする。
【００１７】
【課題を解決するための手段】
上記目的を達成するため、本発明は、装置本体から風を吹き出す吹出口と、この吹出口を開閉する蓋体とを備えた構造を前提として、吹出口とは別の補助吹出口とを設けて、蓋体の閉状態で、補助吹出口から風を吹き出すようにした送風吹出装置を提供するものである。
【００１８】
この構成によれば、蓋体で吹出口を閉塞した状態で装置本体を運転させても、補助吹出口から風を吹き出すので、送風機などの他の機器への悪影響を防止することができる。これにより、蓋体の閉状態で運転を停止させるための構成を省略することができ、送風吹出装置の構成部品を少なくして、その組立を簡単にすることができる。
【００１９】
また、本発明は、装置本体の吹出口に、この吹出口から吹き出す風の向きを調節する風向調節体を回動軸周りに回動自在に設けた構造を前提とした送風吹出装置を提供する。回動軸の軸線方向端部側において、風向調節体の端部およびこれに対向する吹出口の内壁のいずれか一方に回動軸を形成し、他方にこの回動軸を支持する軸受けを形成する。
【００２０】
軸受けに、回動軸をこの回動軸の軸線と直交する方向から挿入するための切欠を形成すれば、風向調節体以外の他の部位を組み立てた後に、吹出口に風向調節体を装着することができ、装置の組立を簡単にすることができる。
【００２１】
切欠に、回動軸の軸穴からの抜け出しを阻止する抜け止め手段を形成すれば、装着後の風向調節体が外れないようにすることができる。この抜け止め手段を、切欠に位置する抜け止め姿勢と、切欠から回動軸の軸線方向で後退した挿入姿勢との間で弾性変形可能な抜け止め片から構成する。そうすれば、抜け止め片を挿入姿勢に弾性変形させて風向調節体を装着し、装着後に抜け止め片をその弾性力により抜け止め姿勢に復帰させることができる。
【００２２】
抜け止め片を、回動軸の軸線と直交する方向からの切欠への挿入により、抜け止め姿勢から挿入姿勢に弾性変形させれば、回動軸を切欠に押し込むだけで、抜け止め片の抜け止め姿勢と挿入姿勢とを切り換えることができる。
【００２３】
軸受けよりも回動軸の軸線方向外側に、回動軸に当接して風向調節体の軸方向移動を阻止する第一ストッパを設ければ、風向調節体のがたつきを防止することができる。また、軸受けよりも回動軸の基端側に、吹出口の内壁に当接して風向調節体の軸方向移動を阻止する第二ストッパを形成すれば、風向調節体のがたつきを防止することができる。この第二ストッパを軸受け又は切欠の周囲に形成して、回動軸を案内するガイドリブとすれば、風向調節体の装着を簡単にすることができる。
【００２４】
回動軸の軸線方向端部側において、風向調節体の端部およびこれに対向する吹出口の内壁のいずれか一方に被係止部を形成して、他方に被係止部を係止する複数の係止部を風向調節体の回動中心の周りに放射状に形成し、風向調節体の角度を段階的に調節可能にする。そうすれば、風向調節体の角度調節を簡単にすることができる。
【００２５】
具体的な構成としては、複数の係止部を互いに間隔をあけて形成された複数の凸部として、被係止部を突起とし、係止部および被係止部の少なくとも一方の弾性変位により係合離脱可能とすればよい。吹出口の内壁に、風向調節具の回動を所定の範囲内に規制する回動ストッパを設ければ、風向調節具が裏返ったりすることを防止することができる。
【００２６】
風向調節体は、吹出口を開閉する蓋体として兼用することができ、運転停止状態において、吹出口からの異物の侵入を防止することができる。これらの送風吹出装置は、除湿機などの電気機器に備えるのが好適である。
【００２７】
【発明の実施の形態】
以下、本発明に係る送風吹出装置の実施の形態について、図面を用いて説明する。図１は本発明の送風吹出装置を備えた除湿機の前側から見た斜視図、図２は除湿機の後側から見た斜視図である。
【００２８】
この除湿機は、装置本体１の背面部の吸込口２より吸い込んだ室内の空気を除湿して室内に吹き出すものであり、除湿された風を吹き出すための送風吹出装置を備えている。送風吹出装置は、装置本体１から風を吹き出す吹出口３と、吹出口とは別の補助吹出口４と、吹出口３を開閉する蓋体５とを備え、蓋体５が開状態のとき吹出口３から風を吹き出し、蓋体５が閉状態のとき補助吹出口４から風を吹き出すようになっている。
【００２９】
吹出口３は、装置本体１の上カバー６に設けられた左右方向を長手方向とする凹部７の底板７ａに開口を形成してなる。この吹出口３は、格子状のリブ８で前後左右に仕切られ、異物の侵入を阻止しつつ後述する送風機３４から送られた風を通過させるようになっている。
【００３０】
補助吹出口４は、上カバー６の後端部に形成された多数の角孔４ａからなり、凹部７から排出口９を介して排出された風を吹き出すようになっている。排出口９は、凹部７の後内壁７ｂに、複数のリブで左右に仕切られた開口を形成してなり、上カバー６の下方に、蓋体が閉状態のとき排出口９から補助吹出口４に風を導く補助通路１０が形成されている。
【００３１】
蓋体５は、左右方向を長手方向とする略長方形の板をその表面側が膨らむように前後に湾曲させた形状とされ、その閉状態において上カバー６と面一に凹部７の上側開口を覆うように配置される。
【００３２】
蓋体５の裏面側には、蓋体５よりひとまわり小さく蓋体５と略平行な平板状の風向板１１と、蓋体５および風向板１１を接続する５枚の立壁１２とが配置される。蓋体５、風向板１１および立壁１２により、吹出口３から吹き出す風の向きを調節する風向調節体１３が構成され、蓋体５が風向調節体１３の一部に兼用される。
【００３３】
立壁１２は、左右方向に直交する略台形の平板とされ、左右に所定の間隔で蓋体５と一体成形される。この立壁１２の端面に風向板１１をビス止めすることにより、蓋体５、風向板１１および立壁１２が、吹出口３から吹き出す風を通過させる断面長方形の４つの通路を形成する。立壁１２により、異物の侵入を防止すると共に、風向調節体１３の全体の剛性を高めている。
【００３４】
蓋体５の両端部の裏面側に、左右方向に直交する平板状の側板１４ａ、１４ｂが一体形成され、この側板１４ａ、１４ｂに軸受け１５が形成されている。軸受け１５に挿通する回動軸１６が、凹部７の左右の内壁７ｃ、７ｄに凹部７内に向けて突設され、この回動軸１６が蓋体５を回動自在に支持する。蓋体５を回動軸１６の周りに回動させることにより、送風機３４から送られた風の向きを調節可能とされる。
【００３５】
蓋体５の側板１４ａ、１４ｂに、軸受け１５を回動軸１６に上方から挿入するための切欠１７が形成され、この切欠１７に、回動軸１６の軸受け１５からの抜け出しを阻止する抜け止め片１８が形成されている。抜け止め片１８は、切欠１７の軸受け１５と反対側の端部において、その脚部１８ａを側板１４ａ、１４ｂに接続され、軸受け１５に向けて突出している。
【００３６】
抜け止め片１８の先端部は、先端側を厚くするテーパ状に形成されて、軸受け１５としての強度を有する厚さに設定され、軸受け１５の一部を構成している。抜け止め片１８の他の部位は、回動軸１６を通過可能に側板１４ａ、１４ｂよりも薄く形成されている。
【００３７】
回動軸１６を切欠１７から軸受け１５に挿入するとき、上方から蓋体５を押し込むことにより、回動軸１６の先端が抜け止め片１８のテーパ面に接触する。さらに蓋体５を押し込むことにより、回動軸１６がテーパ面をスライドしながら抜け止め片１８を弾性変形させて左右方向で内向きに後退させる。回動軸１６の挿入完了後、抜け止め片１８は、切欠１７に位置する抜け止め姿勢に復帰し、軸受け１５から回動軸１６が外れることを防止する。
【００３８】
蓋体５の左端部には、回動軸１６に当接して蓋体５の左向きの移動を阻止する第一ストッパ１９が形成されている。第一ストッパ１９は、左右方向に平行な平板状とされ、軸受け１５の中心軸と位置を合わせて、側板１４ａの軸受け１５よりも右側に形成されている。
【００３９】
蓋体５の右端部には、凹部７の右の内壁７ｄに当接して蓋体５の右向きの移動を阻止する第二ストッパ２０が形成されている。第二ストッパ２０は、側板１４ｂの右側面で、軸受け１５および切欠１７の周囲に形成され、回動軸１６を案内するガイドリブを兼用している。
【００４０】
蓋体５の右端部には、凹部７側の係止部に係止されて所望の角度で蓋体５の回動を規制するための被係止部が設けられ、この被係止部は、側板１４ｂの右側面の後端部に突起２１を形成してなる。突起２１は、その先端が略Ｒ状とされ、回動中心からの距離を第二ストッパ２０よりも長く設定される。側板１４ｂの後端部２２は、他の部位よりも薄く形成され、その近傍に穴部２３が形成されている。後端部２２および穴部２３により、突起２１が弾性変位可能とされる。
【００４１】
凹部７の右の内壁７ｄには、突起２１を係止する係止部としての複数の略台形の凸部２４が、互いに間隔をあけて回動軸１６の周りに放射状に形成されている。凸部２４は、回動軸１６と所定の間隔をあけて形成されると共に、回動軸１６側の端部に緩やかに傾斜するテーパが形成され、第二ストッパ２０の接触を防止している。
【００４２】
凸部２４同士の隙間２５は、突起２１の先端のＲ部が侵入可能な大きさとされ、突起２１の先端が隙間２５に侵入した状態で、蓋体５の回動を規制する。ある程度の力を加えて蓋体５を回動させることにより、突起２１の弾性変位を伴って、突起２１が凸部２４に乗り上げる。これにより、突起２１と凸部２４とを係合離脱させながら、蓋体５の角度を段階的に調節可能とされている。
【００４３】
凹部７の左の内壁７ｃに形成された回動軸１６の基端部に、回動軸１６の後方下半分に位置する扇形の回動ストッパ２６が形成されている。回動ストッパ２６は、その端面に蓋体５の裏面側を当接させることにより蓋体５の回動を規制し、蓋体５の回動を所定の範囲内に制限する。回動ストッパ２６の一方の端面が蓋体５の回動の始点を決め、他方の端面が終点を決める。
【００４４】
次に、除湿機の構成について説明する。装置本体１は、横長タイプで奥行きが小さいコンパクト構造とされ、その上面の上カバー６に、吹出口３を開閉する蓋体５と、運転開始および運転停止などを操作する操作部２７と、装置本体１を持ち運びするための把手２８とが設けられている。把手２８を収納する部分に、上カバー６を装置本体１に固定する締結用の円孔４ｂが形成されている。装置本体１の背面部には、室内の空気を吸い込む吸込口２が設けられ、装置本体１の右側面の下部には、除湿により生成される水を貯めるためのドレンタンク２９が設けられている。
【００４５】
装置本体１の内部は、仕切板３０により上下に区画される。上方室は、中仕切板３１により前後に仕切られ、後側の空間Ａに蒸発器３２および凝縮器３３が収納され、前側の空間Ｂに送風機３４が収納される。蒸発器３２および凝縮器３３を収納する空間Ａは、その上方を上仕切板３５で覆われ、この上仕切板３５と上カバー６とで囲まれた空間が補助通路１０とされる。
【００４６】
下方室は、下仕切板３５により左右に仕切られ、左側の空間が圧縮機３６などの冷凍サイクル用部品を収納する機械室Ｄとされ、右側の空間がドレンタンク２９を外部からの出し入れ可能に収容するタンク室Ｅとされる。仕切板３０には、蒸発器３２や凝縮器３３からのドレン（水）をドレンタンク２９に排出する排出口３７が形成され、この排出口３７が弁機構３８によって開閉される。弁機構３８は、ドレンタンク２９の出し入れに連動して排出口３７を開閉する。
【００４７】
次に、除湿機を運転するときの様子を説明する。送風機３４を駆動させることにより吸込口２より吸い込まれた室内の空気は、蒸発器３２を通過しながら熱交換（冷却）されて減湿され、凝縮器３３を通過しながら熱交換（加熱）される。その後、送風機３４（ターボファン）のモータ側より吸い込まれ、送風機３４で吹出口３から凹部７内に吹き出される。
【００４８】
凹部７内に吹き出された風は、蓋体５が開状態のとき、凹部７の上側開口から吹き出され、蓋体５が閉状態のとき、排出口９から補助通路１０を通って補助吹出口４から吹き出される。つまり、空気の通路として、吸込口２から蒸発器３２、凝縮器３３、送風機３４を通って吹出口３に至り、吹出口３から凹部７の上側開口あるいは補助吹出口４に至る通路が形成されている。
【００４９】
上記構成によれば、除湿運転中に吹出口３を蓋体５で閉塞したとき、補助吹出口４から風を吹き出すことができる。これにより、除湿後の温度の高い空気が装置本体１から放出されずに送風機３４が空回り状態になることはなく、除湿能力のダウンを防止することができる。
【００５０】
蓋体５の軸受け１５に切欠１７を形成しているので、蓋体５を簡単に装着することができ、抜け止め片１８により、装着後の蓋体５の外れを防止することができる。また、蓋体５を段階的に回動させることができるので、蓋体５の角度調節を簡単にすることができる。
【００５１】
なお、本発明は、上記の実施の形態に限定されるものではなく、本発明の範囲内において、適宜変更を加えることができる。例えば、この送風吹出装置は、除湿機の代わりに加湿器などの他の電気機器に備えてもよい。
【００５２】
回動軸は、蓋体側と装置本体側のどちらに形成してもよい。係止部と被係止部とは、蓋体と装置本体のどちらに形成してもよく、被係止部を弾性変位させる代わりに、係止部を弾性変位させてもよい。
【００５３】
【発明の効果】
以上の説明から明らかなように、本発明では、蓋体が閉状態のとき風を吹き出す補助吹出口を設けているので、万一、蓋体を回動させて吹出口を開放することなく装置本体を運転しても、空気が装置本体から外部に放出され、装置の安全性を高めることができる。
【００５４】
また、蓋体の開閉の誤操作を防止するための構成部品を省略して部品数を少なくすることができるので、装置の小型化が図れる。蓋体を簡単に装着することができるので、組み立てやすくすることができる。蓋体を段階的に回動させることができるので、風向きの調節を簡単にすることができる。
【図面の簡単な説明】
【図１】本発明の送風吹出装置を備えた除湿機の前側から見た斜視図
【図２】除湿機の後側から見た斜視図
【図３】上カバーの平面図
【図４】Ａ−Ａ断面図
【図５】Ｂ−Ｂ断面図
【図６】（ａ）は蓋体の平面図、（ｂ）はＣ−Ｃ断面図、（ｃ）は底面図、（ｄ）は左側面図、（ｅ）は右側面図である。
【図７】（ａ）は係止部の正面図、（ｂ）は係止部の側面図、（ｃ）は係止部の平面図
【図８】（ａ）は回動ストッパの正面図（蓋体の閉状態）、（ｂ）は回動ストッパの側面図、（ｃ）は回動ストッパの正面図（蓋体の開状態）
【図９】除湿機の上部の要部断面図
【図１０】除湿機の上部の平面図
【図１１】除湿機の下部の要部断面図
【図１２】ドレンタンクの斜視図
【図１３】従来の除湿機の側断面図
【図１４】吹出口の拡大断面図（閉塞状態）
【図１５】吹出口の拡大断面図（開放状態）
【図１６】別の吹出口の開閉機構を示す分解斜視図
【図１７】吹出口付近の部分断面図
【符号の説明】
１      装置本体
３      吹出口
４      補助吹出口
５      蓋体
１５    軸受け
１６    回動軸
１７    切欠
１８    抜け止め片
１９    第一ストッパ
２０    第二ストッパ
２１    突起
２４    凸部
２６    回動ストッパ
【図１】
2004317046.tif 000003
【図２】
2004317046.tif 000004
【図３】
2004317046.tif 000005
【図４】
2004317046.tif 000006
【図５】
2004317046.tif 000007
【図６】
2004317046.tif 000008
【図７】
2004317046.tif 000009
【図８】
2004317046.tif 000010
【図９】
2004317046.tif 000011
【図１０】
2004317046.tif 000012
【図１１】
2004317046.tif 000013
【図１２】
2004317046.tif 000014
【図１３】
2004317046.tif 000015
【図１４】
2004317046.tif 000016
【図１５】
2004317046.tif 000017
【図１６】
2004317046.tif 000018
【図１７】
2004317046.tif 000019